(57)【要約】【解決課題】本発明は、結婚式の記念写真、披露宴席次表及び料理（以下入力情報データとする。）をメニューブック等に収めたブライダルアルバムを短時間で製本し、配布できることを特徴とする短時間印刷システムの構成とした。【解決手段】写真データ（ＪＰＥＧ）を撮影するデジタルカメラ等と、写真データ（ＪＰＥＧ）とアルバムレイアウトの対応付けを行う第１コンピューターと、前記写真データ（ＪＰＥＧ）等をサーバーに保管するＦＴＰサーバーと、前記ＦＴＰサーバーから写真データ（ＪＰＥＧ）を取得し、前記写真データを写真データ（ＥＰＳ）に自動変換しＦＴＰサーバーに再度保管する編集用コンピューターと、ＦＴＰサーバー内に保管された写真データ（ＥＰＳ）をダウンロードし、ＲＩＰ処理を行う第２コンピューターと、ＲＩＰ処理が終了した写真データ（ＥＰＳ）から印刷製本を行うデジタル印刷製本システムとからなることを特徴とする短時間印刷システムの構成とした。【選択図】　図１
2004139267.tif 000002
【特許請求の範囲】
【請求項１】
イベント会場で写真データを取り込む第１コンピューターと、前記第１コンピューターから受領した写真データを編集する印刷工場等の編集コンピューターと、印刷先のイベント会場にある第２コンピューターと、前記第１コンピューター、編集コンピューター及び第２コンピューターをインターネット通信回線で接続したＦＴＰサーバーとからなり、前記第２コンピューターから写真データを取得しブライダルアルバムを印刷製本できることを特徴とする短時間印刷システム。
【請求項２】
請求項１に記載した第１コンピューターは、新郎新婦を撮影するデジタルカメラ等と、デジタルカメラで撮影した写真データ（ＪＰＥＧ）と、前記写真データ（ＪＰＥＧ）をアルバムレイアウト情報に対応付けを行うことができることを特徴とする短時間印刷システム。
【請求項３】
請求項１に記載したＦＴＰサーバーは、圧縮し転送されてきた前記写真データ（ＪＰＥＧ）等を、インターネット回線を通じ圧縮し、保管し、送受信できることを特徴とする短時間印刷システム。
【請求項４】
請求項１に記載した編集コンピューターは、写真データ（ＪＰＥＧ）を写真データ（ＥＰＳ）に自動変換するソフトウェアーを備えたことを特徴とする短時間印刷システム。
【請求項５】
請求項１に記載した第２コンピューターは、写真データ（ＥＰＳ）をＲＩＰ処理できるとともに、前記第２コンピューターからイベント会場でＲＩＰ処理した写真データを取り込み、ブライダルアルバムとして印刷できる高速印刷製本システムと、オンデマンド印刷機等とからなることを特徴とする短時間印刷システム。
【発明の詳細な説明】
【０００１】
【発明が属する技術分野】
本発明は、結婚式の記念写真、披露宴席次表及び料理等（以下、写真データと等とする。）をメニューブック等に収めたブライダルアルバムを短時間で製本し、出席者（以下、エンドユーザーとする。）に前記ブライダルアルバムをその場で引き出物として配布できる印刷システムに関する発明である。
【０００２】
【従来の技術】
従来は、原稿となる写真データ等の事前収集及び加工は、結婚式場及び記録サービス事業者（写真、ビデオサービス業者）が行い、収集した前記写真データは前記記録サービス事業者から印刷工場に送られ、写真データ等から印刷データである版下に変換し、版下から印刷版を作り、印刷版を印刷機で印刷することでブライダルアルバムの製本等を行っていた。
【０００３】
【発明が解決しようとする課題】
しかしながら、従来の印刷システムでは、式が終了した後での写真データ等の収集、編集レイアウト等となるため、結婚披露宴の終了までに式の様子等を撮影し、スナップ写真等を収めたブライダルアルバムを参加者に引き出物として配布することができなかった。
【０００４】
また、結婚式場及び記録サービス事業者が撮影した写真データ等を印刷工場に送り、原稿からブライダルアルバムの印刷をし、出席者へ配布するまでの時間がかかることは、新郎新婦並びに両家出席者等の感動が薄れ、しいては写真等の納品遅れにより結婚式場及び記録サービス事業者が信用を薄なうことになるため、極めて重要な問題である。
【０００５】
そこで、本発明では、ブライダルアルバムの制作に時間がかかることなく、ブライダルアルバムの元となる版下に変換する作業時間、印刷版を使用せず、印刷工場へ通すことなく、直接会場である結婚式場等でブライダルアルバムを短時間で製本し引き出物にできる短時間印刷システムを提供することを目的とするものである。
【０００６】
【課題を解決するための手段】
本発明である短時間印刷システムは、上記の課題を解決するために、写真データ（ＪＰＥＧ）を撮影するデジタルカメラ２ｂ等と、写真データ（ＪＰＥＧ）とアルバムレイアウトの対応付けを行う第１コンピューター２ｃと、前記写真データ（ＪＰＥＧ）等をサーバーに保管するＦＴＰサーバー３ａと、前記ＦＴＰサーバー３ａから写真データ（ＪＰＥＧ）を取得し、前記写真データを写真データ（ＥＰＳ）に自動変換しＦＴＰサーバー３ａに再度保管する編集用コンピューター４ｂと、ＦＴＰサーバー３ａ内に保管された写真データ（ＥＰＳ）をダウンロードし、ＲＩＰ処理を行う第２コンピューター８ｂと、ＲＩＰ処理が終了した写真データ（ＥＰＳ）から印刷製本を行うデジタル印刷製本システム８ｃとからなることを特徴とする短時間印刷システムの構成とした。
【０００７】
【実施例】
以下に、添付図面に基づき本発明である短時間印刷システムについて詳細に説明する。
【０００８】
図１は、本発明である短時間印刷システムの全体構成図、図２及び図３は、本発明である短時間印刷システムの処理手順及びその詳細を示した図である。図４から図６は、本発明である短時間印刷システムの各手段での処理方法を示した図である。
【０００９】
図１の上部に示すように、本発明である短時間印刷システム１は、入力手段２を構成するイベント会場２ａ、印刷工場や外部プロバイダー等に設置した記憶装置３であるＦＴＰサーバー３ａ、編集手段４を構成する印刷所４ａ、出力手段８を構成するイベント会場８ａとからなる。
【００１０】
結婚披露宴で撮影した写真データ等は、記録サービス事業者がイベント会場２ａからインターネット回線を使用してＦＴＰサーバー３ａに転送し、印刷所４ａ等はＦＴＰサーバ３ａから前記写真データ等を取得し、ブライダルアルバムに合うようにソフトウェアーを使用してオート変換して再度ＦＴＰサーバ３ａに転送し、結婚式場等であるイベント会場８ａでは記録サービス事業者等がＦＴＰサーバ３ａから変換した前記写真データを取得し、前記写真データをブライダルアルバムとして印刷、製本することが可能な構成である。
【００１１】
図１の左上に示したように入力手段２を構成するイベント会場２ａでは、記録サービス事業者等がデジタルカメラ２ｂ等を使用し、対象である結婚式並びに披露宴の写真撮影を行う。撮影後の写真データ（ＪＰＥＧ）は、ＵＳＢケーブル等を使用し、デジタルカメラ２ｂ等からイベント会場２ａ内に設けた第１コンピューター２ｃに取り込まれる。
【００１２】
次に、第１コンピューター２ｃは、取り込んだ前記写真データ（ＪＰＥＧ）を予め登録したアルバムレイアウト等の情報と併せてインターネットを使用し、外部の記憶装置３であるＦＴＰサーバー３ａへ、データ転送（出力）１０ｂする。
【００１３】
前記ＦＴＰサーバー３ａとは、圧縮し転送されてきた前記写真データ（ＪＰＥＧ）等のファイルをインターネット回線を通じ、外部で保管（２５０Ｍ以上）できるサーバーである。
【００１４】
そして、図１の左部に示した編集手段４を構成する印刷所４ａでは、前記ＦＴＰサーバー３ａから、写真データ（ＪＰＥＧ）を編集用コンピューター４ｂにダウンロードすることでデータ取得、即ちデジタル入稿１０ａし、ブライダルアルバムの原稿としての編集・校正４ｃをすることができる。
【００１５】
印刷所４ａ等では編集・校正４ｃを自動で行うために、オリジナルソフトウェアー５を使用する。前記オリジナルソフトウェアー５とは、図１の右下に示したように、撮影した写真データをレイアウト設定するフォトデータ設定ソフトウェアー６と、前記フォトデータ設定ソフトウェアー６をブライダルアルバムのページ毎にレイアウトするデータレイアウトソフトウェアー７とからなる。
【００１６】
オリジナルソフトウェアー５は、写真データ（ＪＰＥＧ）を写真データ（ＥＰＳ）に自動変換するため、従来、結婚式場及び記録サービス事業者が印刷工場等と行っていた写真データ（ＪＰＥＧ）等の受け渡しや、レイアウトに対して時間がかからない。
【００１７】
次に、図１の右上に示した出力手段８を構成するイベント会場８ａを説明する。イベント会場８ａでは、第２コンピューター８ｂがＦＴＰサーバー３ａから印刷所４ａにより編集・構成４ｃし自動変換された写真データ（ＥＰＳ）を取得し、印刷・製本８ｄを行い、結婚式場で出席者であるエンドユーザー８ｅの散会時までにブライダルアルバム８ｆを配布することができる。
【００１８】
前記イベント会場８ａは、結婚式場等の写真スタジオや写真館等である。また、印刷・製本８ｄをより専門的に行うために外部の印刷所４ａとしてもよい。次に、イベント会場８ａの下部に示したＷｅｂ　Ｓｉｔｅ９について説明する。
【００１９】
Ｗｅｂ　Ｓｉｔｅ９は、ＦＴＰサーバー３ａに蓄積した写真データ（ＥＰＳ）を元に開設した、新郎新婦オリジナルのホームページ９ａである。前記ホームページ９ａは、記録サービス事業者がビデオカメラ等で撮影した結婚式等の様子を動画で配信すると共に、新郎新婦の新家庭の電子化のきっかけとしてホームページ９ａを利用することができる。
【００２０】
図２は、本発明である短時間印刷システムの処理手順を示した図である。図２に示すように、処理手順で使用するコンピューター装置は３台からなる。即ち、入力手段２を構成するイベント会場２ａの第１コンピューター２ａと、編集手段４を構成する印刷所４ａの編集用コンピューター４ｂと、出力手段８を構成するイベント会場８ａの第２コンピューターｂである。各コンピューター２ｃ、４ｂ、８ｂは、ＦＴＰサーバー３ａとインターネット通信回線等で接続している。
【００２１】
また、前記第１コンピューター２ｃ、編集用コンピューター４ｂ、第２コンピューター８ｂは、ＦＴＰサーバー３ａに対し、圧縮した写真データ（ＪＰＥＧ）２ｄ、アルバムレイアウト情報２ｅ、写真データ（ＥＰＳ）２ｆを送信できる。次に、入力手段２での入力処理２ｇ、編集手段４での編集処理ｄ、出力手段８での出力処理８ｇを各処理に分けて詳細を説明する。
【００２２】
図３に示したように、本発明である短時間印刷システム１の処理工程は、入力処理２ｇとして、アルバムレイアウトの新規登録及び変更の開始Ｓ１、写真データ（ＪＰＥＧ）をコンピューターに取り込むＳ２、アルバムレイアウトと写真データ（ＪＰＥＧ）の対応付けＳ３、アルバムレイアウト及び写真データ（ＪＰＥＧ）をＦＴＰサーバーに転送するＳ４となっている。
【００２３】
編集処理４ｄは、圧縮されたアルバムレイアウト及び写真データ（ＪＰＥＧ）をＦＴＰサーバーから取得するＳ５、自動的に写真データ（ＪＰＥＧ）を写真データ（ＥＰＳ）に変換を行うＳ６、変換後に編集用コンピューター４ｂの画面にある転送ボタンを押すことで再度圧縮し、写真データ（ＥＰＳ）をＦＴＰサーバーに転送するＳ７となっている。
【００２４】
出力処理８ｇは、アルバムの印刷製本を行うために、第２コンピューター８ｂを使用し、写真データ（ＥＰＳ）をＦＴＰサーバーから取得するＳ８をし、ＲＩＰ処理を行うＳ９をし、印刷・製本完成Ｓ１０となる。前記ＲＩＰ処理とは、写真データ（ＥＰＳ）を印刷データに変換する処理方法である。次に、図４から図６により、入力処理２ｇ、編集処理４ｄ、出力処理８ｇの詳細を説明する。
【００２５】
図４は、本発明である短時間印刷システムの入力処理の手順を示す図である。図４に示したように、入力処理２ｇは、ブライダルアルバムを製作するために２種類のデータを構成する。前記２種類のデータとは、アルバムレイアウト方法２ｅと、写真データ（ＪＰＥＧ）２ｄである。
【００２６】
図４の中部に示したように前記レイアウト情報２ｅと写真データ（ＪＰＥＧ）２ｄの対応付けを行うＳ３ことで、ＦＴＰサーバー３ａに前記写真データ（ＪＰＥＧ）２ｄと、アルバムレイアウト情報２ｅを転送するＳ４ことができる。
【００２７】
図５は、本発明である短時間印刷システムの編集処理の手順を示す図である。編集処理４ｄでは、２種類のデータである写真データ（ＪＰＥＧ）２ｄと、アルバムレイアウト情報２ｅをＦＴＰサーバー３ａから取得し、前記写真データ（ＪＰＥＧ）２ｄとアルバムレイアウト情報２ｅを写真データ（ＥＰＳ）に変換できることに特徴がある。
【００２８】
前記写真データ（ＪＰＥＧ）２ｄを写真データ（ＥＰＳ）２ｆに変換を行う（以下、ＥＰＳ変換という。）ＥＰＳ変換Ｓ６は、カラーモード変換（ＲＧＢ→ＣＭＹＫ）、解析度変換、縦横サイズ変換、色（カラー、モノトーンの別）に行う変換方法である。そして変換した写真データ（ＥＰＳ）２ｆは、圧縮し、再度ＦＴＰサーバー３ａに転送する。
【００２９】
図６に示した図は、出力処理の手順である。図６に示したように、出力処理８ｇの手順では、ＦＴＰサーバー３ａから写真データ（ＥＰＳ）２ｆを第２コンピューター８ｂ等にダウンロードすることで写真データ（ＥＰＳ）２ｆを取得Ｓ８し、ＲＩＰ処理を行うＳ９ことで、印刷製本の完成（デジタル印刷製本システム）Ｓ１０に移動する。
【００３０】
印刷製本の完成（デジタル印刷製本システム）Ｓ１０は、ＢＯＤ（ブックオンデマンド）高速印刷製本システムや、ゼロックス社のオンデマンド印刷機等、ホリゾン社製の高速中綴じ製本機等からなる。よって、前記印刷製本の完成（デジタル印刷製本システム）Ｓ１０を構成する装置を使用することで、ブライダルアルバム８ｆの完成となる。
【００３１】
図７は、本発明である短時間印刷システムで、ブライダルアルバムの完成にかかる所要時間等を示した時間表、図８は、従来の印刷システムでアルバム等を完成させる際にかかる所要時間を示した時間表である。
【００３２】
図７に示すように、本発明である短時間印刷システムは、区分１１ａであるＳｉｔｅに分け、各ＳｉｔｅＡ、ＳｉｔｅＢ、ＳｉｔｅＣ、ＳｉｔｅＤ毎に行う。また前記４区分では、それぞれ時間短縮項目１１ｂ、方法１１ｃ、所要時間１１ｄを計測した。
【００３３】
ＳｉｔｅＡである当日前までの写真データ前処理は、当日使用写真データなどの選定（事前打ち合わせ）である。よって、実際の結婚式、披露宴の時間からは除く。ＳｉｔｅＢは、当日撮影した写真データ等を選定し、ＦＴＰサーバーに転送することである。ＳｉｔｅＣは、当日の写真データの受理からＤＴＰで変換することである。ＳｉｔｅＤは、ＲＩＰ処理から出力、製本である。
【００３４】
本発明では、ＳｉｔｅＢからＳｉｔｅＤまでの所要時間１１ｄは、１４５．３分（１１ｅ）でブライダルアルバムを印刷し、参加者に配布することができた。なお、前記所要時間１１ｄは、製本機を変更することで更に短縮することが可能である。
【００３５】
一方、図８に示した従来の印刷技術１２は、ＳｉｔｅＡからＳｉｔｅＤごとに区分１２ａすることができる。そして、事前データ入稿１２ｂの下部に示したデータの転送は、ＦＴＰサーバーを経由せず、圧縮されていないため、ＳｉｔｅＢからＳｉｔｅＤまでの所要時間１２ｃが４２０分（１２ｄ）の時間を要していた。即ち、本発明である短時間印刷システムは、最大で２７４．７分の時間を短縮することができた極めて優れたシステムである。
【００３６】
【発明の効果】
本発明は、以上の構成から、以下の効果が得られる。第１に、版下に変換する作業時間、版下から印刷版を作る作業時間及びコストがかからず、印刷版を使用しない、印刷機及び製本機の設置場所を問わないブライダルアルバムを短時間で製本できる出版システムを提供することができる。
【００３７】
第２に、（１）イベント会場で印刷製本もできるため、時間の省時間化となり、
（２）ＰａｓＬデータベースの構築により省力化、省時間化となり、
（３）画像データの圧縮送信ソフトウェア開発により省力省時間化となり、
（４）変換印刷データの高精度、短時間送信ソフトウェアの開発により省力省時間化することができる。
【００３８】
第３に、データベース化したフォーマットに入力情報を流し込むだけで、招待状・礼状、席次表・料理メニュー、プロフィール・カタログ、プログラム・挙式披露宴スナップ、記念写真等を手間をかけずに一度に印刷製本することができる。
【００３９】
第４に、自分たちの人生の大イベントである結婚式のアルバムが一冊の体裁の立派な本として出席者全員の手元に思い出と共に残すことができる。それと共に、はからずも新家庭の電子化のきっかけとして自分たちのホームページが出来上がり、そこで自分たちが主役の挙式披露宴のデータが明日から発信されるという幸運にありつくことができる。
【００４０】
第５に、最終印刷原稿の入稿後６０分程度の時間内で、フルカラー印刷Ａ４判４８ページ、無線綴じ仕上げ表紙カバー付のブライダルアルバムを散会時、全出席者に提供することができる。進行中の挙式、披露宴会場の風景をデジタルカメラとデジタルビデオカメラの映像で捉えることができる。
【図面の簡単な説明】
【図１】本発明である短時間印刷システムの全体構成図である。
【図２】本発明である短時間印刷システムの処理手順を示した図である。
【図３】本発明である短時間印刷システムの処理手順の詳細を示した図である。
【図４】本発明である短時間印刷システムの入力処理の手順を示した図である。
【図５】本発明である短時間印刷システムの編集処理の手順を示した図である。
【図６】本発明である短時間印刷システムの出力処理の手順を示した図である。
【図７】本発明である短時間印刷システムの所要時間を示した図である。
【図８】従来の印刷システムの所要時間を示した図である。
【符号の説明】
１　　　　　短時間印刷システム
２　　　　　入力手段
２ａ　　　　イベント会場
２ｂ　　　　デジタルカメラ等
２ｃ　　　　第１コンピューター
２ｄ　　　　写真データ（ＪＰＥＧ）
２ｅ　　　　アルバムレイアウト情報
２ｆ　　　　写真データ（ＥＰＳ）
２ｇ　　　　入力処理
３　　　　　記憶装置
３ａ　　　　ＦＴＰサーバー
４　　　　　編集手段
４ａ　　　　印刷所
４ｂ　　　　編集用コンピューター
４ｃ　　　　編集・構成
４ｄ　　　　編集処理
５　　　　　オリジナルソフトウェアー
６　　　　　フォトデータ設定ソフトウェアー
７　　　　　データレイアウトソフトウェアー
８　　　　　出力手段
８ａ　　　　イベント会場
８ｂ　　　　第２コンピューター
８ｃ　　　　デジタル印刷製本システム
８ｄ　　　　印刷・製本
８ｅ　　　　エンドユーザー
８ｆ　　　　アルバム
８ｇ　　　　出力処理
９　　　　　Ｗｅｂ　Ｓｉｔｅ
９ａ　　　　ホームページ
１０　　　　矢印
１０ａ　　　デジタル入稿
１０ｂ　　　データ転送
１１　　　　所要時間表
１１ａ　　　区分
１１ｂ　　　時間短縮項目
１１ｃ　　　方法
１１ｄ　　　所要時間
１１ｅ　　　１４５．３ｍｉｎ
１２　　　　従来の技術
１２ａ　　　区分
１２ｂ　　　事前データ入稿
１２ｃ　　　所要時間
１２ｄ　　　４２０ｍｉｎ
Ｓ１　　　　アルバムレイアウトの新規登録及び変更の開始
Ｓ２　　　　写真データ（ＪＰＥＧ）をＰＣに取り込む
Ｓ３　　　　アルバムレイアウトと写真データ（ＪＰＥＧ）の対応付け
Ｓ４　　　　アルバムレイアウト及び写真データをＦＴＰサーバーに転送する
Ｓ５　　　　アルバムレイアウト及び写真データをＦＴＰサーバーから取得する
Ｓ６　　　　写真データ（ＪＰＥＧ）→写真データ（ＥＰＳ）に変換
Ｓ７　　　　写真データをＦＴＰサーバーに転送する
Ｓ８　　　　写真データをＦＴＰサーバーから取得する
Ｓ９　　　　ＲＩＰ処理を行う
Ｓ１０　　　印刷・製本の完成
【図１】
2004139267.tif 000003
【図２】
2004139267.tif 000004
【図３】
2004139267.tif 000005
【図４】
2004139267.tif 000006
【図５】
2004139267.tif 000007
【図６】
2004139267.tif 000008
【図７】
2004139267.tif 000009
【図８】
2004139267.tif 000010